(57)【要約】  木の根の成長を可能にし、嵐の水の濾過、保水、貯水及び浸透を受け容れる一方、ハードスケープのダメージを防止するようにして、ハードスケープ(106)エリアを支持するための構造セルシステム(100)が開示される。このシステム(100)は、ハードスケープの下に位置することのできる複数の構造セル(210)を備えている。これら構造セルは、木の根を受け容れるサイズの開口を有するように設計される。又、このシステムは、複数の構造セルへ水が流れ込み及び流出するための流路と共に、構造セルの周囲に１つ以上の透過性バリアを有する。この構造セルは、樹脂クリープを減少するための強化部材を含む蓋(712)を備えている。
2007520651.tif 000002
【特許請求の範囲】
【請求項１】
ハードスケープエリアを支持する構造セルシステムであって、木の根の成長を可能にし、嵐の水の濾過、保水、貯水及び浸透を受け容れる一方、ハードスケープダメージを防止する構造セルシステムにおいて、
ハードスケープの下に位置することができ、木の根を受け容れるサイズの開口を有している複数の構造セルと、
前記複数の構造セルへの水の進入口と、
前記複数の構造セルからの水の排出口と、
を備えた構造セルシステム。
【請求項２】
前記ハードスケープは、歩道、駐車場又は車道である、請求項１に記載のシステム。
【請求項３】
前記構造セルは水を貯水できる、請求項１に記載のシステム。
【請求項４】
前記構造セルは低緊密化の木の根の媒体を貯蔵できる、請求項１に記載のシステム。
【請求項５】
前記木の根の媒体は嵐の水を濾過できる、請求項４に記載のシステム。
【請求項６】
前記ハードスケープを経て前記複数の構造セルへ向かう土壌注入ポートを更に備えた、請求項１に記載のシステム。
【請求項７】
前記構造セルは２つ以上の層に位置される、請求項１に記載のシステム。
【請求項８】
少なくとも１つの層は、水を保水する構造セルを含み、そして少なくとも１つの層は土壌を含む、請求項７に記載のシステム。
【請求項９】
上記層を分離するように位置された１つ以上の透過性バリアを更に備えた、請求項７に記載のシステム。
【請求項１０】
前記ハードスケープを通るセル点検ポート又は清掃ポートを更に備えた、請求項１に記載のシステム。
【請求項１１】
前記構造セルと前記ハードスケープとの間に位置された１つ以上の透過性バリアを更に備えた、請求項１に記載のシステム。
【請求項１２】
前記構造セルとその周囲土壌との間に位置された１つ以上の透過性又は不透過性バリアを更に備えた、請求項１に記載のシステム。
【請求項１３】
前記構造セルの周りに１つ以上の透過性バリアを更に備えた、請求項１に記載のシステム。
【請求項１４】
前記構造セルは、機能が異なり且つ垂直又は水平の構成で配置される、請求項１に記載のシステム。
【請求項１５】
前記構造セルは、コーベル構成でアッセンブルされる、請求項１に記載のシステム。
【請求項１６】
１つ以上の水吸収体を更に備えた、請求項１に記載のシステム。
【請求項１７】
前記水の進入口は、嵐のための排水口又は屋根の排水路である、請求項１に記載のシステム。
【請求項１８】
前記嵐のための排水口又は屋根の排水路は濾過器を含む、請求項１７に記載のシステム。
【請求項１９】
水の進入は透過性のハードスケープを通る、請求項１に記載のシステム。
【請求項２０】
水の排出は水の浸透により周囲の土壌へ向けられる、請求項１に記載のシステム。
【請求項２１】
前記水の排出口は嵐のための排水溝である、請求項１に記載のシステム。
【請求項２２】
沈殿物又は瓦礫を除去するためにシステムを水でフラッシュ洗浄する手段を更に備えた、請求項１に記載のシステム。
【請求項２３】
前記構造セルは、緊密化された構造根付け媒体の上又は下に配置された嵐の水の流路を含む、請求項１に記載のシステム。
【請求項２４】
前記構造セルの幾つかは、連通管路を配置するための領域を含む、請求項１に記載のシステム。
【請求項２５】
ハードスケープエリアを支持する多層構造セルシステムであって、木の根の成長を可能にし、嵐の水の濾過、保水、貯水及び浸透を受け容れる一方、ハードスケープダメージを防止する多層構造セルシステムにおいて、
前記ハードスケープの下に位置されて、短期間の貯水を行うことができる構造セルの第１層と、
前記第１層への水の進入口と、
前記第１層の下に位置されて、木の根の成長をサポートする荷重支持根付け媒体を貯蔵することのできる構造セルの第２層と、
前記第２層の下に位置されて、長期間貯水を行うことのできる構造セルの第３層と、
前記構造セルの第３層からの水の排出口と、
前記第１層と第２層を分離している第１の透過性バリアと、
前記第２層と第３層を分離している第２の透過性バリアと、
を備え、各層が他の層と流体連通している多層構造セルシステム。
【請求項２６】
前記構造セルの第２層は、木の根を受け容れるサイズの１つ以上の開口を有する、請求項２５に記載のシステム。
【請求項２７】
前記木の根付け媒体は、前記第１層と第３層との間で嵐の水を濾過することができる、請求項２５に記載のシステム。
【請求項２８】
前記第１層と前記ハードスケープとの間に位置された透過性バリアを更に備えた、請求項２５に記載のシステム。
【請求項２９】
前記ハードスケープは、歩道、駐車場又は車道である、請求項２５に記載のシステム。
【請求項３０】
前記層と層との間に１つ以上の水吸収体を更に備えた、請求項２５に記載のシステム。
【請求項３１】
前記ハードスケープを通る土壌注入ポートを更に備えた、請求項２５に記載のシステム。
【請求項３２】
前記ハードスケープを通るセル点検ポートを更に備えた、請求項２５に記載のシステム。
【請求項３３】
フラッシュ清掃ポートを更に備えた、請求項２５に記載のシステム。
【請求項３４】
前記構造セルの第１層と前記ハードスケープとの間に位置された１つ以上の透過性バリアを更に備えた、請求項２５に記載のシステム。
【請求項３５】
前記構造セルの第１、第２及び／又は第３層と、その周囲の土壌との間に位置された１つ以上の透過性バリアを更に備えた、請求項２５に記載のシステム。
【請求項３６】
前記構造セルは、機能が異なり且つ垂直又は水平構成に配置される、請求項２５に記載のシステム。
【請求項３７】
前記構造セルはコーベル構成に配置される、請求項２５に記載のシステム。
【請求項３８】
１つ以上の水吸収体を更に備えた、請求項２５に記載のシステム。
【請求項３９】
前記水の進入口は嵐のための排水口又は屋根の排水路である、請求項２５に記載のシステム。
【請求項４０】
前記嵐のための排水口は濾過器又は屋根の排水路を含む、請求項２５に記載のシステム。
【請求項４１】
水の進入は透過性ハードスケープを通る、請求項２５に記載のシステム。
【請求項４２】
水の排出は周囲の土壌に向かって水が浸透する、請求項２５に記載のシステム。
【請求項４３】
前記水の排出口は嵐のための排水溝である、請求項２５に記載のシステム。
【請求項４４】
ある程度の水が前記第１層から前記第３層へ直接通過するのを許すスプリッタシステムを更に備えた、請求項２５に記載のシステム。
【請求項４５】
排水を許す１つ以上の吸収ホールを更に備えた、請求項２５に記載のシステム。
【請求項４６】
前記システムを水でフラッシュ洗浄する手段を更に備えた、請求項２５に記載のシステム。
【請求項４７】
都市の木の成長システムを形成する方法において、
少なくとも木の幹に対し充分な大きさの開口をハードスケープに形成するステップと、
前記ハードスケープの下で前記開口の周りの層に複数の構造セルを位置させるステップと、
前記開口に根球を挿入するステップと、
前記開口及び前記開口付近の幾つかの構造セルに、木の成長をサポートするための木の根付け媒体を充填するステップと、
を備えた方法。
【請求項４８】
前記構造セルの幾つかに水を充填するステップであって、この水が木の根付け媒体を伴う構造セルと流体連通するようなステップを更に備えた、請求項４７に記載の方法。
【請求項４９】
前記システムを水でフラッシュ洗浄するステップを更に備えた、請求項４７に記載の方法。
【請求項５０】
ハードスケープを支持するための構造セルにおいて、
ベースと、
前記ベースに係合しそして前記ベースから外方に延びる周囲支持部材であって、別のセルのベース又は蓋に取り付けることができると共に前記ハードスケープを支持することができ、更に、前記セルにおける木の根の成長を許すように配列された支持部材と、
を備えた構造セル。
【請求項５１】
前記蓋は、前記周囲支持部材に取り付け可能であり、且つ前記ハードスケープを支持することができる、請求項５０に記載の構造セル。
【請求項５２】
前記蓋は、前記ハードスケープの荷重の一部分を支持する構造部材を含む、請求項５１に記載の構造セル。
【請求項５３】
前記蓋の一部分はプラスチックで形成され、そして前記構造部材は、前記プラスチックの樹脂クリープを減少させる、請求項５２に記載の構造セル。
【請求項５４】
ハードスケープを支持するための構造セルの蓋において、
水の通過を許すための開口を有する本体を備え、該本体の下面には、支持カラムに係合するための複数のくぼみが配置されている蓋。
【請求項５５】
前記蓋に配置されたハードスケープに応答して前記本体のストレスを変更するために前記本体の下面に配置される構造部材を更に備えた、請求項５４に記載の蓋。
【請求項５６】
前記蓋の一部分はプラスチックで形成され、そして前記構造部材は前記プラスチックの樹脂クリープを減少させる、請求項５５に記載の蓋。
【発明の詳細な説明】
【技術分野】
【０００１】
本発明は、一般に、都市エリアにおける木の根及び嵐の水の流出を管理するシステムに係り、より詳細には、歩道及び他の舗装されたエリアを維持するための構造システムに使用される一体化セルであって、木の根の成長を可能にし、嵐の水の濾過、保水、貯水及び浸透を受け容れる一方、ハードスケープ(hardscape)のダメージを防止するような一体化セルに係る。
【０００２】
関連出願へのクロスレファレンス：本発明は、２００４年１月１５日に出願された米国特許第１０／７５９，４９３号の一部継続出願であり、この出願の要旨を参考としてここに援用する。
【背景技術】
【０００３】
都市における木々の価値が何ドルになるかは、評価が困難であるが、都市における木々の本来の価値は広く認識されている。都市エリアにおいて健全な大木を成長させることは非常に困難であり、大木を首尾良く成長させるためには、適度な水分をもつ充分に高品質の土壌と、酸素と、充分な土壌排水設備とを設けねばならない。木の根が充分成長すると、都市の景観（例えば、住居用、商業用又は工業用の都市、町、村、郊外又は他のエリアに対する景観又は土地開発）における木々の健全さ及び構造上の安定性を与える。都市の景観、あらゆる形式の交通、土地開発インフラストラクチャー、及び他の建造物は、土壌がもはや木の成長にとって多孔性でなく木の発育成長を充分にサポートできない著しく緊密化した土壌を作り上げる。人間専用のエリアの必要性が増加して、木のための土壌を専用に与えることのできるエリアが減少されるにつれて、木の成長が益々困難になっている。このスペース減少の問題を解消する試みにより得られた解決策は、費用がかかり、目標の一部分しか満足せず、限定された量の土壌に対処するものであり、及び／又は保守コストが高い。
【０００４】
都市エリアが益々高密度になるにつれて、オープンスペースは貴重なものとなり、木を成長させると共に嵐の際の水の流出をコントロールするに充分なオープンスペースを見つけることが次第に困難になる。都市エリアにおいて一般にそうであるが、木々は、歩道又は車道の垂直開口に位置される。木が成長するにつれて、根が歩道又は車道の下に延びると共にぶつかり合いを招き、歩道又は車道を危険な状態にしたり見えなくしたりする。これが生じると、木及び／又はハードスケープが通常除去される。歩道は、緊密化した土壌にのせられ、これは、木の根の成長を妨げる。
【０００５】
嵐の際の水の流出をコントロールすることは、都市エリアにおける別の問題である。嵐の際の水を成功裡にコントロールするには、１）流出の速度を低速化し、２）流出量を減少し、３）流出する水を濾過し（くず、大きな粒子及び化学物質を除去することを含む）、４）嵐の際の過剰な水を嵐のための排水設備に送り込み、そして５）その水を保水し及び地中へ浸透させねばならない。米国環境保護局（ＥＰＡ）は、嵐の際の水源に実際上近づけて嵐の水の濾過、浄化、保水又は勾留、及び浸透を行うための土地開発プランを要求するストームウオーター・マネージメント・ベスト・マネージメント・プラクティス（ＢＭＰ）を義務付けた。人口密度が高くなるにつれて、これらの目標を達成することが益々困難になる。嵐の際の水を専門に管理できるエリアが、舗装やビルのために減少する。嵐の際の水を処理するシステムの設計では、処理トレインと称される大小のコンポーネントが、少数の大きな処理設備に依存するものより優れた設計であると一般に考えられる。更に、処理システムのパイプや他の構造物から離れて地中に水を保水すると、僅かな保守で良好な結果を生じることが確認されている。又、処理システムのパイプから離れて水を保水することは、水を長期間にわたって小高いところに保水することでもある。これは、水の下降を低速化し、更に処理するための別の戦略を開発する上で最も広い範囲の選択肢を維持する。スペース減少の問題を解決する試みにより得られた解決策は、経費がかかり、単一の大きな処理施設に依存し、目標の一部分しか満足せず、限定された量の水しか処理せず、及び／又は保守コストが高いというものである。
【発明の開示】
【発明が解決しようとする課題】
【０００６】
舗装の中及び下で嵐の水を管理する幾つかの態様を与える多数の解決策が存在し、それらの多くは、環境保護局のウェブサイト（ｈｔｔｐ：／／ｗｗｗ．ｅｐａ．ｇｏｖ／ｒｅｇｉｏｎｌ／ａｓｓｉｓｔａｎｃｅ／ｃｅｉｔｔｓ／ｓｔｏｒｍｗａｔｅｒ／ｔｅｃｈ．ｈｔｍｌ）にリストされている。これらシステムは、くず及び大きな粒子を濾過するか、又は化学物質を濾過するか、或いは水を貯水するか、又は浸透を許すが、これら４つのタスク全部を行うものはない。それらシステムは、しばしば、大きな構造物となって、処理トレインを開発できず、又、著しい保守要求を課する。又、それらシステムは、非常に複雑で且つユーティリティシステム間でスペースを競合するような、他の都市インフラストラクチャーに適合し得ない大きな専用スペースをしばしば要求する。これらシステムの中で、木の根のスペースを受け容れるものはない。
【０００７】
従って、上述した木の根及び嵐の水の管理の両方の機能についての要求を受け容れるシステムが要望される。
【課題を解決するための手段】
【０００８】
本発明は、都市インフラストラクチャー内の同じスペースで嵐の際の著しい水の管理及び木の根の発育の両方を受け容れるのを許す。
【０００９】
一実施形態では、ハードスケープエリアを支持するものであって、木の根の成長を可能にすると共に、木の根からのハードスケープダメージを防止しながら嵐の水の濾過、保水、貯水、及び浸透を受け容れる構造セル又はフレームシステムが開示される。このシステムは、ハードスケープの下に位置させることのできる複数の構造セルを備えている。これら構造セルは、木の根を受け容れるサイズにされた開口を有してもよい。又、このシステムは、構造セルの周りに１つ以上の透過性バリアを備えてもよい。又、複数の構造セルへ水を流し込み及び流出させる流路もある。
【００１０】
別の実施形態では、ハードスケープエリアを支持するものであって、木の根の成長を可能にすると共に、ハードスケープダメージを防止しながら嵐の水の濾過、保水、貯水、及び浸透を受け容れる多層構造セルシステムが開示される。このシステムは、ハードスケープの下に位置されて短期間水を貯水することのできる短期間貯水用の第１層の構造セルを備えている。この第１層の下には、第２層の構造セルが位置され、この第２層の構造セルは、木の根の成長をサポートする木の根の媒体を蓄積することができる。この第２層の下には、第３層の構造セルが位置され、この第３層の構造セルは、長期間水を貯水することができる。又、第１層へ水を流し込みそして第３層から流出させる流路もある。第１の透過バリアが第１層と第２層を分離する状態で、第２透過バリアが第２層と第３層を分離し、各層は、他の層と流体連通している。
【発明を実施するための最良の形態】
【００１１】
以下、本発明を実施する特定の実施形態が示された添付図面を参照して本発明を詳細に説明する。これらの実施形態は、当業者が本発明を実施できるに充分なほど詳細に説明する。本発明の範囲から逸脱せずに、他の実施形態も使用でき、又、構造的、論理的、及び電気的変更もなし得る。
【００１２】
ここで使用する用語「comprises(備え)」、「comprising(備えている)」、「includes(含む)」、「including(含んでいる)」、「has(有する)」、「having(有している)」又は他の変形は、非排他的包含を網羅するものと意図される。例えば、エレメントのリストを備えるプロセス、方法、物品又は装置は、必ずしもこれらのエレメントのみに限定されず、そのようなプロセス、方法、物品又は装置に対して明確にリストされないか又は固有でない他のエレメントを包含してもよい。又、逆に、明確に述べない限り、「ｏｒ(又は)」は、包括的「ｏｒ」を指し、排他的「ｏｒ」を指すものではない。例えば、条件Ａ又はＢは、次のいずれか１つにより満足される。Ａが真であり（又は存在し）且つＢが偽であり（又は不存在であり）、Ａが偽であり（又は不存在であり）且つＢが真であり（又は存在し）、及びＡ及びＢの両方が真である（又は存在する）。
【００１３】
又、「ａ」又は「ａｎ」は、本発明のエレメント及びコンポーネントを説明するのに使用される。これは、単に便宜上、そして本発明の一般的な意味を与えるために行われる。この説明は、１つ又は少なくとも１つを含むと読むべきであり、又、単一は、それが意味するものが明らかでない限り複数も包含するものとする。
【００１４】
特に定義しない限り、ここに使用する全ての技術的及び科学的用語は、本発明が属する分野の当業者により一般に理解されるものと同じ意味を有する。ここに述べるものと同様の又は等価な方法及び材料を、本発明の実施又は試験に使用できるが、適当な方法及び材料を以下に説明する。ここに述べる出版物、特許出願、特許及び他の参照文献は、その全体をここに援用する。競合する場合には、定義を含む本明細書が支配する。更に、材料、方法及び実施例は、例示に過ぎず、限定を意図するものではない。
【００１５】
以下の説明において、本発明の実施形態を理解するために、種々のシステムコンポーネントの識別のような多数の特定の詳細が与えられる。しかしながら、当業者であれば、本発明の実施形態は、１つ以上の特定の細部を伴わずに、或いは他の方法、コンポーネント、材料等を伴って実施できることが明らかであろう。他の例では、本発明の種々の実施形態の特徴を不明瞭にしないために、良く知られた構造、材料又は動作は、詳細に示して説明しない。
【００１６】
本明細書全体にわたり「一実施形態」又は「実施形態」を指すときは、その実施形態に関連して述べる特定の特徴、構造又は特性が本発明の少なくとも１つの実施形態に包含されることを意味する。従って、本明細書全体にわたる種々の場所で「一実施形態」又は「実施形態」という語句が現われたときには、必ずしも全てが同じ実施形態を指していない。更に、特定の特徴、構造又は特性は、１つ以上の実施形態において適当な仕方で結合されてもよい。
【００１７】
本明細書全体にわたり「木の根」又は「根」という言い方が使用される。当業者であれば、本発明の実施形態は、これらの用語に限定されず、そしてこれらの用語は、ここに述べる発明から利益を得る木、植物、又は他の草木の根に対する一般的な用語として使用されることが明らかである。
【００１８】
木の根の成長と、嵐の水の遮断、濾過及び貯水とを許すように設計された木の根及び嵐の水の一体化システムに対する一実施形態を概略として開示する。貯水された水はシステムに入り、木の根の媒体又は土壌を通して濾過することができる。又、水は、隣接する土壌へ浸透されてもよいし、後で木に使用するために木の根の土壌へ吸収して戻されてもよいし、或いは制御された割合でパイプ式の嵐水システムへ流れ込むようにされてもよい。木の根及び嵐の水の一体化システムでは、更に、木の根をシステムへと成長させて、道路や歩道の付近にある大きな健全な都市の木が、ある程度の嵐の水を利用して、成長できるようにするのを許す。粒子の濾過を行うために、一連のジオテキスタイル及びメンブレーンが種々の場所に利用される。土壌内のカチオン交換は、土壌内の生物学的プロセスを利用して化学的な安定性を与える。又、このシステムは、システムの累積した沈殿物又は化学物質を除去するために水でフラッシュ洗浄されてもよい。又、システムは、水及び他の材料を透過できるようにオープン設計を使用してもよい。
【００１９】
木の根及び嵐の水の一体化システムは、人や車の移動に対して土地エリアの効率的な利用を許すために、歩道、駐車場又は車道の舗装のようなハードスケープの下に設置されるよう設計される。又、このシステムは、芝、植物床又は緊密化された土壌のような透過性ハードスケープの下に使用されてもよい。このシステムは、重たい土壌の緊密化がない上に、ハードスケープと、このハードスケープが支える地表交通、例えば、重たい乗物とを支持することのできる根土壌スペースを与える。ハードスケープは、コンクリート、アスファルト、個々のコンクリート舗装、又は透過舗装である仕上げ地表グレードを含んでもよい。ハードスケープより下の材料は、緊密化された砂又は砂利或いはその両方を含んでもよい。このシステムは、根土壌の緊密化をコントロールするための地表荷重を付与し又は分配することができる。このシステムは、木の根の土壌及びストームウオーター・マネージメントＢＭＰを与え、これらは、ＡＡＳＨＴＯ（アメリカン・アソシエーション・オブ・ステート・ハイウェイ・アンド・トランスポーテーション・オフィシアルズ）、並びに重たい交通荷重のための他のＵＳＡ及び外国政府条例、例えば、ＡＡＳＨＴＯ  Ｈ−２０規格に適合するように設計される。
【００２０】
このシステムは、木の根がシステム内で成長し、根と舗装との間の競合が相当に減少されるように設計される。又、根は、システムを通して延びそしてシステムを越えて土壌にアクセスし、根がアクセスし得る土壌の量を増加する。木の根及び嵐の水の一体化システムは、空間的リソースに対して著しい競合がある地表下の都市エリアの複雑な特性を受け容れるように小さな単位で利用することができる。このシステムは、複雑な都市環境におけるユーティリティ設備のグレード、整列及び干渉の変化に応答する融通性を許すモジュラー設計である。システムの融通性は、貯水及び浸透機能の冗長性及び分散性を与える相互リンクされた処理エリアの開発を許す。この冗長性及び分散性は、隣接する土壌エリアの詰まりや飽和により欠陥となるおそれの少ないシステムをもたらす。
【００２１】
木の根及び嵐の水の一体化システムは、互いに接合される多数の三次元構造セル又はフレームを含む。これら構造セルは、設計乗物荷重に耐え、ローム土壌で埋めることのできるオープン構造を維持し、且つ木の根がセル内を水平及び垂直の両軸に成長するのを許すに充分な強度である。構造セルは、コンクリート、複合物、プラスチック、金属、プラスチック被覆金属、又は他の適当な材料で形成することができる。複合物は、樹脂／ガラス、ポリマー／ガラス、ポリマー／ガラス及びセメント、炭素繊維、樹脂又はプラスチック被覆を伴う金属、樹脂、プラスチック、又はポリマー及び金属を含んでもよい。構造セルは、真空成形押し出しプラスチックでもよいし、又は射出プラスチックでもよい。構造セルは、プリフォームコンクリートでもよいし、又はコンクリートで元の場所に形成されてもよい。構造セルは、水の貯水及び移動を受け容れることができる。又、構造セルは、システム内に異なる機能ゾーンを形成するように水平又は垂直に或いはその両方に積層されてもよい。
【００２２】
木の根及び嵐の水の一体化システムは、
・くずや大きな瓦礫を除去し、
・砂や沈殿物や小サイズの粒子を濾過し、
・炭化水素、硝酸塩、重金属、その他を含む化学物質を濾過し、
・水の速度を下げると共に、ゆっくりと放出するためのサイトに水を保水し、
・水を地中に浸透させるか又は大気中へ戻し、
・水温を冷却し、
・構造的な木の根を成長させて大木を安定化させるための土壌の量及び質を与え、
・木の根に対して充分な水及び酸素を与え、
・ハードスケープ及びその上の交通の荷重を受け容れる、
ようにすることができる。
【００２３】
システムは、
・コスト効率が良く、
・保守が少なく（最小限、年に一度）、
・他の都市インフラストラクチャーに適合でき、
・コンポーネントの組み立て、設置、及び木の土壌でスペースに荷重をかける等、構成が簡単であり、
・サイズが小さく、融通性があり、且つ景観内に多数の処理特徴を形成することができ、
・水を地表面の近くに保水し、
・大きな嵐事象を受け容れながら、嵐の第１水フラッシュ洗浄の処理を行い、
・システムの大部分を舗装の下に設け、
・リサイクル可能な材料の使用を増加する、
というように設計される。
【００２４】
図１は、木の根及び嵐の水の一体化システム１００の一実施形態を示す断面図である。使用中に、嵐の水又は排水のような水１０２が、嵐又は縁石の入口又は排水溝１０４で収集されてシステム１００に入る。入口１０４は、水がシステムに入る前に土壌の小さな粒子を含むくずや瓦礫を除去するように水を前処理するよう設計することができる。システム１００の上のハードスケープ１０６、例えば、透過性舗装、芝又は植物床は、水がシステム１００へ直接通過し得るように透過性になっている。従って、この透過性ハードスケープは、くずや土壌の粒子を濾過する機能を果たすことができる。又、屋根の排水パイプからも、パイプに取り付けられるか又は屋根に配置された濾過装置を伴ったり伴わなかったりして、システムに水が入り得る。
【００２５】
上部の水セル層１０８は、濾過された水１１０を受ける。次いで、若干の水１１２が土壌セル層１１４へ流れ始め、この土壌セル層は、水セル層１０８と同じセル材料で作られるが、ローム土壌が充填されているか、或いは砂利又は砂利／土壌の緊密化可能な荷重支持の根材料で作られる。土壌セル層１１４は、最初の濾過器で捕え損なった微粒子を濾過し、そしてカチオン交換として知られているプロセスを通して水中の化学物質を止める。次いで、土壌の中の生物学的プロセスが、これらの化学物質を、土壌に残留するか又は木の根により取り上げられる安定した化合物へと処理する。若干の水１１６が土壌セル層１１４の土壌に浸透して、下部水セル層１１８へ排出される。上部水セル層１０８には、バイパススプリッタ装置１２０が設けられ、これは、嵐の流量が中間土壌セル層１１４を通る水流量を越えたときに上部水セル層１０８から下部水セル層１１８へ若干の水１２２を直接移送することができる。土壌セル層１１４の底部と下部水セル層１１８との間には、土壌が下部水セル層１１８へ沈殿しないようにするために濾過布又はジオテキスタイル１２４が配置される。
【００２６】
下部水セル層１１８は、制御型オーバーフロー出口１２６に接続され、この出口は、下部水セル層１１８から若干の水１２８をゆっくり放出すると共に、システムが長期間にわたり飽和状態に留まらないようにする。吸収織物材料１３０が土壌セル層１１４を下部水セル層１１８へ接続して、下部水セル層１１８に貯水された水１３２が土壌セル層１１４へとアップ方向に移動し、木の根のための水を補給できるようにする。又、若干の水１３４が、周囲の土壌又は砂利へと浸透することにより層から出ることもできる。本発明は、本発明システム付近の土壌が水を受けるのに適していないとき、又は下層土へ水を浸透させるのが賢明でない場合には、セル層の幾つか又は全部の下又は周囲に不透過性ジオメンブレーンを追加して浸透機能を排除することにより変更されてもよい。
【００２７】
図２は、木の根及び嵐の水の一体化システム２００が、ハードスケープ２０２、この場合は、基礎材料２０６を伴う歩道又は舗装２０４の下に位置された別の実施形態を示す断面図である。この水システム２００は、透過性舗装又は他の形式のハードスケープ或いは透過性土壌を、芝、植物床、又は他の形式の外皮のような植物と共に含むことができる。システム２００は、構造セル２１０の１つ以上の層２０８を備えてもよい。構造セル２１０は、ハードスケープを支持し且つ積層されるに充分な構造上の堅牢性を有する一方、水、土壌又は根のためのオープンスペースも有するオープン設計である。構造セル２１０は、コンクリート、複合物、プラスチック、及び他の適当な材料で作ることができる。システム２００は、ハードスケープに近位開口２１２を備え、これに木２１４が植えられる。ある実施形態では、開口２１２の側部に沿って根バリア２１６を配置して、根を構造セル２１０に向かって案内すると共に、ハードスケープ２０２から離して保持することができる。領域２１８は、木の根の媒体、例えば、ローム又は表土を意味し、これに木の根玉(rootball)２２０が配置される。
【００２８】
上述したように、構造セル２１０は、層２０８に位置される。システム２００には多数の層２０８を使用することができる。ある構造セル２１０には、根の成長に適した土壌又は他の材料を充填して、土壌セル層２２２を形成し、この中へ木の根が成長できるようにしてもよい。土壌は、低緊密化状態に留まってセルへの根の成長を促進する低緊密化土壌でもよい。又、土壌は、システム１００、２００又は以下に述べるシステムのための余地を形成する掘削中に除去された土壌でもよい。他の構造セルを土壌セル層２２２の下に位置させて、長期間の貯水に使用できる下部水セル層２２４を形成してもよい。更に別の構造上の水セルを土壌セル層２２２の上に位置させて、短期間の貯水に使用できる上部水セル層２２６を形成してもよい。
【００２９】
図３は、図２の一部分の平面図であり、一方、図４、５Ａ、５Ｂ、６及び７は、他の実施形態を示す断面図である。図３、４及び５Ａに示す実施形態において、木２１４は、ハードスケープ２０２の開口２１２を通して植樹エリア２２８に位置される。ハードスケープ２０２に隣接して、ハードスケープ２０２を街路２３２から分離している縁石及び／又は側溝２３０がある。縁石２３０には縁石入口２３４が位置され、これに向かって水が入口／セル接続パイプ２３５を経てシステム２００へ流れ込む。縁石入口２３４は、システム２００に入る前に水からくずや大きな粒子を濾過できる格子又は濾過器を有してもよい。縁石入口２３４は、既存の入口を濾過用に変更したものでもよいし、或いは大小の粒子及びくずを濾過するように設計されてカーソン・インダストリーズにより販売されているような特殊な入口でもよい。
【００３０】
図４に示すように、木２１４の付近の構造セルには、根の成長をサポートするための土壌を充填することができる。構造セル２１０は、ハードスケープ２０２の下にしか示されていないが、他の実施形態では、縁石２３０及び／又は街路２３２の下に延びてもよいことが想像される。構造セル２１０は、砂利排水路及び／又はレベリング床２３６に位置することができる。構造セル２１０が積層されると、それらに土壌を入れて土壌セル層２２２を形成することができる。この土壌セル層２２２の上にジオテキスタイル２３８のような材料層をのせ、その上にハードスケープ２０２をのせることができる。ここに示す実施形態では、木の根により使用される水、肥料、コンポストティー又は他の栄養素を、１つ以上の土壌注入ポート２４０を経て土壌に添加することができる。土壌は、ハードスケープ２０２を配置する前に構造セル２１０に入れることができる。１つ以上の排水路２４２を、土壌セル層２２２の付近の砂利レベリング床２３６に位置させ、そして嵐用の排水パイプ又は他の放出手段に接続することができる。
【００３１】
図５Ａを参照すれば、構造セルは、短期間貯水用の上部水セル層２２６と、木の根及び水濾過用の土壌セル層２２２と、長期間貯水及び浸透用の下部水セル層２２４との３つの層に積層されて示されている。土壌が下部水セル層２２４へ移動するのを防止するために、土壌セル層２２２と下部水セル層２２４との間にはジオテキスタイル２４４の層を位置させてもよい。ローム砂充填材のような砂利充填材及び／又は緊密化充填材２０７が構造セルを取り巻いてもよい。砂利及び／又は土壌をシステムの外に保持するために、水セル層２２４及び２２６の周りにジオテキスタイル２４５を配置してもよい。別の実施形態では、セルを一緒に保持するか、セルの内容物をセル内に保持するか、又は外部材料をセルの外に保持するために、任意の形式の構造セル又はセルの層の周りにジオテキスタイル２４５が配置される。縁石入口２３０は、接続パイプ２４６により上部水セル層２２６に接続されてもよい。点検及び保守のために、１つ以上の上部セル点検及び清掃口２４８、下部セル点検、清掃及びバイパススプリッタ２５０、並びにオーバーフローパイプ２５４も存在する。又、これらのパイプは、システムを通して流れる水の流量を制御するのに使用されてもよい。
【００３２】
図５Ｂは、構造セルを積層する仕方を除くと、図５Ａに類似している。それ以前の図面では、セルは、一方が他方の上に積層されるようにして示された。図５Ｂに示すコーベルのようにそれらを異なる仕方で積層することが望まれる場合もあり、ここでは、各層におけるセルがその下のセルを若干越えて突出する。他の実施形態では、コーベルが反転されてもよい。更に別の実施形態では、コーベル技術及び相互接続装置を使用してセル間を垂直及び水平に橋絡するように、セルが使用されてもよい。又、水吸収体２５２も示されており、これは、下部水セル層２２４から土壌セル層２２２へ水を移送するのに使用できる。
【００３３】
図６は、嵐の水の機能を伴わずに使用できる木の根及び嵐の水の一体化システム３００であって、ローム土壌充填された構造セルの土壌層２２２を使用して、ハードスケープ２０２の下に木を根付かせる機能を与えるようなシステム３００の別の実施形態を示す断面図である。このように使用されたときには、構造セル２１０は、ゆるく緊密化されたローム土壌の非常に効率的な根付かせ体積を与え、これは、根の成長をサポートしながら、以前のハードスケープ２０２又はそれ以外のハードスケープ２０２をセルシステムの頂部に設置するのを許すものである。土壌の点検と、土壌への水、肥料又はコンポストティーの添加とを許すために、ハードスケープ２０２を通して延びる複数のパイプ２４０を設置してもよい。又、土壌の中の土壌充填セルの下で、セルの周りの土壌が充分な排水作用又は浸透を与えないところに、付加的な排水パイプを設置してもよい。
【００３４】
図７に示す木の根及び嵐の水の一体化システム４００の別の実施形態では、このシステムは、木の根に対する構成が要求されないときに、木の根のセルをもたずに水セル層のみを舗装エリアの下にもつ専用の嵐水貯水システムとして使用することができる。この実施形態では、構造上の水セルは、その水セル層の頂部に、制御されたオーバーフローが与えられてもよく、又、その底部には制御された低速放出出口が設けられてもよいし、設けられなくてもよい。底部における制御された出口は、所要の嵐事象により予想される割合及び量でセルから浸透する水を受け取るに充分な能力をもつ土壌では、排除されてもよい。土壌がセルに入るのを防止し、及び／又は隣接充填材の緊密化を許すために、土壌バリア２５６が設けられてもよい。
【００３５】
更に別の実施形態では、本発明は、上部水セル層を排除することができ、水は、下部水セル層へ直接パイプで送られて、貯水されそして土壌セル層へ吸い上げられるか、或いは周囲の土壌又は砂利へゆっくりと放出又は浸透されてもよい。この実施形態は、土壌セル層の微細な濾過機能を排除する。
【００３６】
図８を参照すれば、構造セルの層は、木２１４が植えられるエリア２２８に接近するように変更されてもよい。図示された実施形態では、開口２２８の縁付近で、植樹エリアの周囲に乾燥剤スペースを維持するために、上部水セル層２２６のセルは、土壌が充填されたセルへと遷移する。下部水セル層２２４は、木の開口の縁付近に続くが、木２１４が植えられるエリアの下を通過することはない。下部水セル層２２４のセルは、土壌のセルへ遷移しそして木２１４の下を通過してもよいし（図８に示すように）、又は木２１４の下の土壌のみで終わってもよい（図２に示すように）。土壌セルは、木の開口の距離にわたり木２１４の高さ調整を許すように使用されてもよい。植樹エリアの下に構造セルを配置することの効果は、木の根球が定着するのを防止できると共に、深い直根、張った根及び深いひげ根が木のすぐ周囲に確立するのを許すというものである。土壌セルをいっぱいの深さにすることで、システム２００の整列に沿ってセルグループからセルグループへグレードを変化させることが許される（２２３）。
【００３７】
システム２００の１つの特徴は、システム２００の健全さ及び機能を維持するための機能的アクセスポートである。これらは、土壌セルの上にある離間された小さなアクセスポート又は土壌注入ポート２４０を含み、これらポートは、乾期の間に水を補給したり肥料又はコンポストティーを添加したりして、土壌セル層２２２内の土壌の健全さを維持できるようにする。これらの土壌注入ポート２４０は、嵐の水の管理機能及び／又は木の根付け機能と共に含むこともできるし、又はこれらを伴わずに含むこともできる。上部水セル層２２６の上部セル点検及び清掃口２４８、下部水セル層２２４の下部セル点検、清掃及びバイパススプリッタ２５０、並びにオーバーフローパイプ及び点検ライザー２５４については、１組の大きなポートが使用される。
【００３８】
図９は、ハードスケープ２０２を経て上部水セル層２２６へと延びるパイプ２５８を含む土壌注入ポート２４０の一実施形態を示す。異物がパイプ２５８に入るのを防止するために、キャップ２６０を使用してもよい。使用に際して、根を処理しその健全さを維持するために、水、肥料、コンポストティー又は他の適当な材料がパイプ２５８に注入される。次いで、これら材料は、上部水セル層２２６を経て進み、やがて、土壌セル層２２２に定着する。システム３００の場合と同様に、頂部セル２２６に土壌が充填されると、材料は、土壌の頂部と蓋構造体の下面との間のエアスペースを経て移動する。
【００３９】
図１０は、上部セル点検及び清掃口２４８の一実施形態を示すもので、これは、ハードスケープ２０２から、これと上部水セル層２２６とを経て延びて、土壌セル層２２２の付近のライザーパイププラグ２６４で終わるライザーパイプ２６２を備えている。ライザーパイプ２６２の下端付近に１つ以上の水流出ホール２６６が位置されてもよい。異物がライザーパイプ２６２に入るのを防止するためにキャップ２６７が使用されてもよい。キャップ２６７を除去した状態で、上部セル点検及び清掃口２４８を使用して、水を追加したり、水を除去又はテストしたり、或いは上部水セル層２２６から堆積物を除去したりすることができる。
【００４０】
図１１は、下部セル点検、清掃及びバイパススプリッタ２５０の一実施形態を示すもので、これは、ハードスケープ２０２、上部水セル層２２６、土壌セル層２２２を経て下部水セル層２２４へと延びて、砂利床２３６の付近のライザーパイププラグ２７０で終わるライザーパイプ２６８を備えている。ライザーパイプ２６８の下端付近には、１つ以上の水流出ホール２７２を位置させることができる。異物がライザーパイプ２６８に入るのを防止するためにキャップ２７４が使用されてもよい。キャップ２７４を除去した状態で、下部セル点検、清掃及びバイパススプリッタ２５０を使用して、水を追加したり、水を除去又はテストしたり、或いは下部水セル層２２４から堆積物を除去したりすることができる。上部水セル層２２６の頂部付近では、ライザーパイプ２６８は、水セル層２２６の上部から下部水セル層２２４への若干の水の移送を許すために１つ以上のオーバーフローホール２７６を備えてもよい。上部水セル層２２６における水レベルが、例えば嵐の間に、急速に上昇し、そして土壌セル層２２２を通して濾過できない場合には、オーバーフローホール２７６が、上部水セル層２２６から下部水セル層２２４へある程度の水を直接移送できるようにする。上部セルの最終的な排水を許すと共に、水の停滞を防止するために、ライザーパイプ２６８には１つ以上の流れホール２７８が存在してもよい。又、ライザーパイプ２６８のエリアにおいて土壌セル層２２２と下部水セル層２２４との間のエリアをシールするためにジオテキスタイルライザーシール２８０が使用されてもよい。
【００４１】
図１２は、オーバーフローパイプ及び点検ライザー２５０の一実施形態を示すもので、これは、ハードスケープ、上部水セル層２２６、土壌セル２２２及び下部水セル層２２４を経て延びて、砂利床２３６付近又はその中のオーバーフローパイプ２８４で終わるライザーパイプ２８２を備えている。オーバーフローパイプ２８４は、嵐のための排水路２８６又は別の排水システムに接続することができる。異物がライザーパイプ２８２に入るのを防止するためにキャップ２８８が使用されてもよい。下部水セル層２２４の頂部付近では、ライザーパイプ２８２に１つ以上のオーバーフローホール２９０が設けられてもよい。下部水セル層２２４における水レベルが、例えば嵐の間に、急速に上昇し、そして周囲の砂利又は土壌へ浸透できない場合には、オーバーフローホール２９０が、下部水セル層２２４から、嵐のための排水路２８６に接続されたパイプ２８４へある程度の水を搬送できるようにする。下部セルの最終的な排水を許すと共に、水の停滞を防止するために、ライザーパイプ２８２には１つ以上の流れホール２７８が存在してもよい。又、ライザーパイプ２８２のエリアにおいて土壌セル層２２２と下部水セル層２２４との間のエリアをシールするためにジオテキスタイルライザーシール２９４が使用されてもよい。
【００４２】
本発明の異なる機能的部分を独立した部分として使用し、そして種々のモジュラー構成及び組合せで組み立てることができる。図１３は、上述した多数の小さな木の根及び嵐の水の一体化システム２００を組み合せた、木の根及び嵐の水の一体化システム５００を示す断面図である。システム２００は、木２１４が植えられるハードスケープ２０２の開口２１２の付近に配置される。ある実施形態では、木２１４ごとに２つ以上のシステム２００が使用され、異なるシステム２００が互いに流体連通し（５０２）、水、酸素、土壌又は栄養素を共有することができる。他の実施形態では、木２１４ごとに１つのシステム２００が使用され、木２１４は、中心開口付近に位置される（図２と同様に）。
【００４３】
システム５００は、多数の規模の嵐事象に対してサイズを合わせることができる。嵐の水量が１つのシステム２００の指定サイズ即ち流量を越える場合には、水がその入口にバックアップされて、次のシステム２００の次の入口へと流れ続ける。システム５００は、大きな嵐のオーバーフローを伴わない終端集水であるようには設計されず、即ち所要の最大嵐事象を受け入れることのできるオーバーフロー出口で終わる一連の処理施設（システム２００のような）の一部分であるように設計される。
【００４４】
図１４、１５及び１６は、上述した木の根及び嵐の水の一体化システムに使用するための構造セル６００の一実施形態を示す。この構造セル６００は、同じ環境包囲体において嵐の水の管理を結合すると同時に木の根の育成を許す、合体された１組の機能を発揮する。構造セル６００は、荷重支持方向に積層及びアッセンブルされ、そして土壌システムに埋設されて、排水及び木の根の成長を促進することができる。ハードスケープを配置するためにキャップ又は頂部セル６１２が使用されてもよい。構造セル６００及び頂部６１２の積層された格子又は層６１０（図１５を参照）は、重たい商業的乗物交通を含む生きた荷重及び死荷重の両方に耐えることができる。構造セル６００は、水、土壌及び／又は根の貫通を許すオープン設計である。構造セル６００は、プラスチック、複合体、コンクリート又は他の適当な材料で作られてもよい。一実施形態では、構造セル６００は、デュポン・ジテル、３０％ガラス充填サーモプラスチックから射出整形される。構造セル６００及び頂部６１２は、いかなる適当なサイズでもよい。一実施形態では、構造セル６００は、２４”ｘ２４”のベースを有し、そして高さが８”であり、一方、頂部６１２は、２４”ｘ２４”である。構造セル６００の設計は、コーナー及び中央領域で荷重支持する個々のカラムを生成する。図示された実施形態では、構造セル６００は、中央支持体６０２及びコーナー支持体６０４を備えている。中央及びコーナー支持体は、方形、四角形又は円形（図示せず）のような異なる形状でよい。又、これら支持体は、テーパー付けされてもよい。コーナー支持体６０４は、隣接する構造セルと共に機能するように設計される。又、構造セル６００及び頂部６１２は、アッセンブルしたときに隣接構造セル６００又は頂部６１２のタブくぼみ６０８へネスト配置されるインターロックタブ６０６も備えている（図１６を参照）。図中、コーナー支持体６０４は、四分円であり、構造セル６００がパターン又は格子に位置されたときに、隣接セルのコーナー支持体６０４が、４つのコーナー支持体で作られた円形支持体を形成する。構造セル６００及び頂部６１２の底にあるネストくぼみ６１４及び６１６は、その下に構造セル６００の中央支持体６０１及びコーナー支持体６０４を受け入れて、水平及び垂直の両方に自己ロック特徴を形成するサイズとされる。図示された構造セル６００の使用可能な体積は、その８５％−９５％にローム土壌を充填して、嵐の水の貯水又は浸透に使用するときに水又は根の成長をサポートすることができる。
【００４５】
図１７−２９は、上述した木の根及び嵐の水の一体化システムに使用するための構造セル７００の別の実施形態を示す。図１７は、構造セル７００の上方斜視図である。図１８は、構造セル７００の下方斜視図である。図１９は、構造セル７００の上方斜視図である。上述した構造セル６００と同様に、構造セル７００は、同じ環境包囲体において嵐の水の管理を結合すると同時に木の根の育成を許す、合体された１組の機能を発揮する。構造セル７００は、荷重支持方向に積層及びアッセンブルされ、そして土壌システムに埋設されて、排水及び木の根の成長を促進することができる。ハードスケープを配置するために蓋又はデッキ７１２（ここでは蓋７１２と称する）が使用されてもよい。構造セル７００及び蓋７１２で形成された積層された格子又は層７１０（図１７及び１８を参照）は、重たい商業的乗物交通を含む生きた荷重及び死荷重の両方に耐えることができる。構造セル７００は、水、土壌及び／又は根の貫通を許すオープン設計である。構造セル７００は、プラスチック、複合体、コンクリート又は他の適当な材料で作られてもよい。一実施形態では、構造セル７００は、３０％ガラス充填サーモプラスチックから射出整形される。構造セル７００及び蓋７１２は、いかなる適当なサイズでもよい。一実施形態では、構造セル７００は、２４”ｘ２４”のベースを有し、そして高さが１４”であり、一方、蓋７１２は、２４”ｘ４８”である。構造セル７００の設計は、２つの側部においてコーナー及び中央領域で荷重支持する個々のカラムを生成する。図示された実施形態では、構造セル７００は、中央の側部支持体７０３及びコーナー支持体７０４を備えている。２つの中央側部支持体７０３が示されているが、構造セル７００は、全ての側に中央側部支持体７０３を、そして１つの側に２つ以上の中央側部支持体７０３を含んでもよい。中央側部支持体７０３及びコーナー支持体７０４は、方形、四角形又は円形のような異なる形状でよい。又、これら支持体は、テーパー付けされてもよい。支持体７０３及び７０４は、中空でもよいし、或いは付加的な支持を与えるためにコンクリート又は他の材料が充填されてもよい。中央の側部支持体７０４は、隣接する構造セル７００と共に機能するように設計される。システム７００は、システム６００で示したように、構造セルを一緒に結合するためのインターロックタブを組み込んでもよいし、組み込まなくてもよい。図１７−１９に示すシステム７００は、インターロックタブを含まない。構造セル７００は、コーナー支持体７０４及び中央の側部支持体７０３を各々受け入れて係合するためのくぼみ７２０及び７２１をもつベース７１１を備えている。別の実施形態では、くぼみ７２０及び７２１は、各々、支持体７０４及び７０３の受け入れを容易にするために開口の周りに斜面を含んでもよい。図中、コーナー支持体７０４及び中央の側部支持体７０３は、クローバー状の断面を有する。ベース７１１は、ストレス緩和のためにその頂面、底面又はその両方に配置された複数のノッチ７１５を含んでもよい。一実施形態では、ベース７１１及び支持体７０３、７０４が、単一の構造体として一体的に形成される。別の実施形態では、ベース７１１及び支持体７０３、７０４が別々に形成され、次いで、一緒にアッセンブルされる。これは、オンサイトアッセンブリ(on site assembly)を許す。
【００４６】
図２０は、中央の側部支持体７０３の斜視図である。中央の側部支持体７０３は、クローバー状の断面を有する。しかしながら、他の断面形状が使用されてもよい。中央の側部支持体７０３の頂部は、複数のタブ２００１を有し、これらのタブは、中央の側部支持体の底部か、或いは構造セルの上又は蓋７１２内に配置された構造セルのベース７１１の底部かのいずれかにある対応くぼみに係合する。又、中央の側部支持体７０３は、複数のくぼみ７０２も含み、これらは、中央の側部支持体７０３、或いは中央の側部支持体７０３の上に配置された構造セルのベースにある対応タブに係合する。
【００４７】
図２１は、コーナー支持体７０４の上方斜視図である。コーナー支持体７０４は、クローバーの葉の断面形状を有する。しかしながら、他の断面形状を使用してもよい。コーナー支持体７０４は、蓋７１２に係合し且つ蓋７１２にしっかり取り付けるための複数の蓋−セルスナップ受け入れ部７０２を有する。コーナー支持体７０４は、更に、コーナー支持体７０４の上に配置されるセルにおける対応タブに係合してしっかり取り付けるための複数のセルスナップ受け入れ部２１０４も備えている。システム７００は、蓋−セルスナップなしに構成することもできる。
【００４８】
図２２は、セル７００のコーナーの下方斜視図である。ベース７１１は、下部構造セル７００の対応するセル対セルスナップ受け入れ部２１０４又は下部構造セル７００のコーナー支持体７０４に係合するための複数のセル対セルスナップタブ２２０４を備えている。システム７００は、セル対セルのスナップなしに構成されてもよい。
【００４９】
図２３は、構造セル７００のコーナーの下方斜視図である。ベース７１１は、ベース７１１内にコーナー支持体７０４を支持するようにコーナー支持体７０４に係合するための複数の延長部材２３０４を備えている。これらの延長部材２３０４は、フレームがその下のフレームから１８０°回転されない場合にフレームが誤って設置されるのを防止することができる。別の実施形態では、延長部材２３０４は、回転を許すように実施されてもよい。
【００５０】
図２４は、蓋７１２の上方平面図である。図２５は、蓋７１２の下方斜視図である。図２６は、蓋７１２のコーナーの拡大図である。蓋は、下部セル７００の対応する中央支持体７０４の蓋対セルスナップ受け入れ部２１０２（図２１）に係合するための蓋対セルスナップタブ２６０２を底部コーナーに備えている。蓋７１２は、更に、ハードスケープの下に配置される蓋に対して構造上の支持を与え且つ樹脂のクリープを防止するためにくぼみ２５０４に配置されて係合される支持部材又はインサート２５０２を備えている。（図２４には、明瞭化及び簡単化のために１つの部材２５０２しか示されていない。図１８及び２９に示すように、蓋７１２の他のくぼみに他の支持部材２５０２があってもよいことに注意されたい。）支持部材２５０２は、コーナー支持体７０４を中央の側部支持体７０３に構造上リンクすることができる。支持部材２５０２は、セル７００においてクリープを減少するか又はストレス緩和を与える。蓋７１２又はセル７００が予荷重ポリマーで形成されそしてセル７００が例えばハードスケープからの静的荷重のもとにあって、セル７００を撓ませる場合に、クリープが発生し得る。あるハードスケープ構成又は荷重のもとでは、蓋７１２が支持部材２５０２を含まなくてもよい。蓋７１２は、水の通過を許すために複数の開口を含んでもよい。
【００５１】
図２７及び２８は、支持部材を受け入れるためのコーナー蓋の別の実施形態を示す。図２７の蓋７１２は、蓋７１２の周囲に向かって係合される支持部材２５０２を有する。複数の蓋対セルスナップタブ２７０２が支持部材２５０２付近に配置される。図２８において、支持部材２５０２は、蓋７１２に入れられていない。蓋７１２は、支持部材２５０２の端を受け入れる複数のタブ２８０２を備えている。又、蓋７１２のコーナーは、セル対蓋スナップの解除を許すためのホールも含む。
【００５２】
図２９は、中央の側部支持体７０３に係合するための蓋７１２の一部分の下方斜視図である。支持部材２５０２は、中央の側部支持体７０２に係合するために蓋７１２の底面の周囲に配置されたくぼみ２９０２の下に一部分を有するくぼみ２５０４に配置される。図２９では、蓋７１２及び中央の側部支持体７０２に対して固定メカニズムが示されていないが、くぼみ領域２９０２は、くぼみ２９０２に固定メカニズムを含んでもよい。
【００５３】
図１９において、ベースの長手辺にある支持体７０３及び７０４は、ベースの他の長手辺にある支持体７０３及び７０４に対して４５°回転される。構造セル７００におけるストレスのバランスをとるために、１つの層の構造セル７００は、支持体７０３及び７０４を、その層の上又は下の層とは異なる向きにすることができる。一実施形態では、１つのセルの構造セルは、その層の上又は下の層のセルとは異なる向きにされる（例えば、１８０°回転される）。別の実施形態では、支持体７０３及び７０４は、層と層との間で異なる向きにされるが、蓋７１２は、層と層との間で変更される。別の実施形態では、支持体７０３及び７０４は、４５°以外の角度でもよい。
【００５４】
一実施形態では、ある構造セルが、コンジットを含んでもよく、ジオテキスタイルのような材料をラップしてコンジットを形成してもよく、或いはケーブル、配線、又は他の通信経路を支持するか又はパイプを支持するために空のままにしてもよい。
【００５５】
蓋７１２は、下部層、例えば、下部水層１１８（図１を参照）に使用されて、別の層、例えば、中央の土壌セル層１１４を支持してもよいし、或いは別の例として、中央の土壌セル層１１４に使用されて、上部水セル層１０８を支持してもよい。
【００５６】
図１−１６の実施形態では、構造セルは、蓋７１２のような蓋を備えてもよい。
【００５７】
本発明は、限定された数の実施形態について図示して説明したが、本発明は、その本質的な特徴の精神から逸脱せずに多数の形態で実施することができる。それ故、図示して説明した実施形態は、あらゆる点で、本発明を例示するものに過ぎず、何ら本発明を制限するものではない。本発明の範囲は、以上の説明ではなく特許請求の範囲によって限定され、請求の範囲内に包含される全ての変更は、本発明に包含されるものとする。
【図面の簡単な説明】
【００５８】
【図１】本発明の一実施形態における木の根及び嵐の水の一体化システムと、該システムを通る水の流れを示す断面図である。
【図２】本発明の別の実施形態の断面図である。
【図３】図２の一部分の平面図である。
【図４】図３の４−４線に沿った断面図で、木を植えるエリアにおける土壌セルを示す図である。
【図５Ａ】図３の５−５線に沿った断面図で、垂直に積層された水セル及び土壌セルの一実施形態を示す図である。
【図５Ｂ】図３の５−５線に沿った断面図で、コーベル状に積層された水セル及び土壌セルの別の実施形態を示す図である。
【図６】図３の５−５線に沿った断面図で、積層された土壌セルの実施形態を示す図である。
【図７】図３の５−５線に沿った断面図で、積層された水セルの実施形態を示す図である。
【図８】図３の８−８線に沿った断面図で、水セル及び土壌セルの一実施形態を示す図である。
【図９】土壌注入ポートの一実施形態を示す図である。
【図１０】上部セル点検及び清掃の一実施形態を示す図である。
【図１１】下部セルの点検、清掃及びバイパススプリッタの一実施形態を示す図である。
【図１２】オーバーフローパイプ及び点検ライザーの一実施形態を示す図である。
【図１３】木の根及び嵐の水の多重一体化システムの一実施形態を示す図である。
【図１４】システムに使用するための構造セルの一実施形態を示す図である。
【図１５】システムに使用するための構造セルの一実施形態を示す図である。
【図１６】システムに使用するための構造セルの一実施形態を示す図である。
【図１７】システムに使用するための構造セルの第２の実施形態を示す図である。
【図１８】システムに使用するための構造セルの第２の実施形態を示す図である。
【図１９】システムに使用するための構造セルの第２の実施形態を示す図である。
【図２０】システムに使用するための構造セルの第２の実施形態を示す図である。
【図２１】システムに使用するための構造セルの第２の実施形態を示す図である。
【図２２】システムに使用するための構造セルの第２の実施形態を示す図である。
【図２３】システムに使用するための構造セルの第２の実施形態を示す図である。
【図２４】システムに使用するための構造セルの第２の実施形態を示す図である。
【図２５】システムに使用するための構造セルの第２の実施形態を示す図である。
【図２６】システムに使用するための構造セルの第２の実施形態を示す図である。
【図２７】システムに使用するための構造セルの第２の実施形態を示す図である。
【図２８】システムに使用するための構造セルの第２の実施形態を示す図である。
【図２９】システムに使用するための構造セルの第２の実施形態を示す図である。
【図１】
2007520651.tif 000003
【図２】
2007520651.tif 000004
【図３】
2007520651.tif 000005
【図４】
2007520651.tif 000006
【図５Ａ】
2007520651.tif 000007
【図５Ｂ】
2007520651.tif 000008
【図６】
2007520651.tif 000009
【図７】
2007520651.tif 000010
【図８】
2007520651.tif 000011
【図９】
2007520651.tif 000012
【図１０】
2007520651.tif 000013
【図１１】
2007520651.tif 000014
【図１２】
2007520651.tif 000015
【図１３】
2007520651.tif 000016
【図１４】
2007520651.tif 000017
【図１５】
2007520651.tif 000018
【図１６】
2007520651.tif 000019
【図１７】
2007520651.tif 000020
【図１８】
2007520651.tif 000021
【図１９】
2007520651.tif 000022
【図２０】
2007520651.tif 000023
【図２１】
2007520651.tif 000024
【図２２】
2007520651.tif 000025
【図２３】
2007520651.tif 000026
【図２４】
2007520651.tif 000027
【図２５】
2007520651.tif 000028
【図２６】
2007520651.tif 000029
【図２７】
2007520651.tif 000030
【図２８】
2007520651.tif 000031
【図２９】
2007520651.tif 000032
【国際調査報告】
2007520651.tif 000033
2007520651.tif 000034